(57)【要約】【課題】  隣り合うシェルフの各々が、互いに、自シェルフの監視カードを対向するシェルフの監視カードの全てと接続させると、監視カード間の接続数が増加してしまうという課題がある。【解決手段】  本発明の監視装置は、第１及び第２の監視カードと、前記第１及び第２の監視カードの状態に応じて、前記第１及び第２の監視カードからの信号のうちいずれか一方を出力する切替カードと、を含むシェルフを備えることを特徴とする。【選択図】      図１
2015065534.tif 000002
【特許請求の範囲】
【請求項１】
第１及び第２の監視カードと、
前記第１及び第２の監視カードの状態に応じて、前記第１及び第２の監視カードからの信号のうちいずれか一方を出力する切替カードと、を含むシェルフを備える
ことを特徴とする通信装置。
【請求項２】
前記シェルフを複数備え、
第１のシェルフに含まれる前記切替カードは、前記第１のシェルフに含まれる前記第１及び第２の監視カードからの信号のうちいずれか一方を、第２のシェルフに含まれる切替カードに対して出力する
ことを特徴落とする請求項１に記載の通信装置。
【請求項３】
前記切替カードは、前記第１及び第２の監視カードからの信号のうちいずれか一方を選択的に出力することを特徴とする請求項１又は２に記載の通信装置。
【請求項４】
前記監視カードは、前記監視カードの状態を通知する通知信号を出力する出力部を有し、
前記切替カードは、
前記第１及び第２の監視カードのそれぞれから出力された通知信号に応じて、前記第１及び第２の監視カードからの信号のうちいずれか一方を選択的に出力することを要求する切替判定部と、
前記切替判定部からの要求に応じて、前記第１及び第２の監視カードからの信号を選択的に出力する切替部と、を備える
ことを特徴とする請求項１乃至３のいずれかに記載の通信装置。
【請求項５】
前記監視カードは、
光信号を出力する光出力部と、
当該監視カードの状態を通知する通知信号を他の監視カードに対して出力する出力部と、を有し、
前記切替カードは、前記第１及び第２の監視カードからの光信号を合波する光カプラであり、
前記第１及び第２の監視カードの状態に応じて、前記第１の監視カードの光出力部及び第２の監視カードの光出力部のうちいずれか一方が前記光信号を出力することを特徴とする請求項１又は２に記載の通信装置。
【請求項６】
前記監視カードは、前記監視カードの状態を通知する通知信号を他の監視カードに対して出力する出力部をさらに有し、
前記切替カードは、前記第１及び第２の監視カードからの電気信号を結線する電気回路を含み、前記第１及び第２の監視カードの状態に応じて、前記第１及び第２の監視カードからの前記電気信号のうちいずれか一方を出力することを特徴とする請求項１又は２に記載の通信装置。
【請求項７】
前記シェルフは、通信回線を収容するラインカードをさらに備え、
前記第１及び第２の監視カードは、前記ラインカードに対する制御を実行するための情報を、前記ラインカードに対して通知することを特徴とする請求項１乃至６のいずれかに記載の通信装置。
【請求項８】
前記第１及び第２の監視カードからの信号は、前記ラインカードを一意に識別する識別子を含み、
前記第１及び第２の監視カードは、前記識別子に基づいて、前記信号を前記識別子に対応するラインカードまで転送すること
を特徴とする請求項７に記載の通信装置。
【請求項９】
前記切替カードは、他の切替カードを介して通知される障害に関する情報又は通信の品質に関する情報を含む信号を、前記第１及び第２の監視カードの状態に応じて、前記第１及び第２の監視カードの少なくとも１つに出力することを特徴とする請求項１乃至８のいずれかに記載の通信装置。
【請求項１０】
通信に関する設定を要求する監視制御装置と、
前記監視制御装置からの要求を受ける第１及び第２の監視カードと、前記第１及び第２の監視カードの状態に応じて、前記第１及び第２の監視カードからの信号のうちいずれか一方を出力する切替カードと、を含むシェルフを備える通信装置と、を含む
ことを特徴とする監視システム。
【請求項１１】
前記切替カードは、前記第１及び第２の監視カードからの信号のうちいずれか一方を選択的に出力することを特徴とする請求項１０に記載の監視システム。
【請求項１２】
前記監視カードは、
光信号を出力する光出力部と、
当該監視カードの状態を通知する通知信号を他の監視カードに対して出力する出力部と、を有し、
前記切替カードは、前記第１及び第２の監視カードからの光信号を合波する光カプラであり、
前記第１及び第２の監視カードの状態に応じて、前記第１の監視カードの光出力部及び第２の監視カードの光出力部のうちいずれか一方が前記光信号を出力すること
を特徴とする請求項１０に記載の監視システム。
【請求項１３】
前記監視カードは、前記監視カードの状態を通知する通知信号を他の監視カードに対して出力する出力部を有し、
前記切替カードは、前記第１及び第２の監視カードからの電気信号を結線する電気回路を含み、前記第１及び第２の監視カードの状態に応じて、前記第１及び第２の監視カードからの前記電気信号のうちいずれか一方を出力する
ことを特徴とする請求項１０に記載の監視システム。
【請求項１４】
通信装置に備わるシェルフに含まれる第１及び第２の監視カードにおいて、通信に関する設定の要求を受け、
前記シェルフに含まれる前記切替カードにおいて、前記第１及び第２の監視カードの状態に応じて、前記第１及び第２の監視カードからの信号のうちいずれか一方を出力する
ことを特徴とする監視方法。
【請求項１５】
前記切替カードにおいて、前記第１及び第２の監視カードからの信号のうちいずれか一方を選択的に出力することを特徴とする請求項１４に記載の監視方法。
【請求項１６】
前記第１及び第２の監視カードにおいて、
光信号を出力し、
前記監視カードの状態を通知する通知信号を他の監視カードに対して出力し、
光カプラである前記切替カードにおいて、
前記出力された第１及び第２の監視カードの状態に応じて、前記第１及び第２の監視カードのうちいずれか一方が前記光信号を出力する
ことを特徴とする請求項１４に記載の監視方法。
【請求項１７】
前記監視カードにおいて、
電気信号を出力し、
前記監視カードの状態を通知する通知信号を他の監視カードに対して出力し、
電気信号を結線する電気回路を含む前記切替カードにおいて、
前記第１及び第２の監視カードの状態に応じて、前記第１及び第２の監視カードからの前記電気信号のうちいずれか一方を出力する
ことを特徴とする請求項１４に記載の監視方法。
【請求項１８】
通信装置に備わるシェルフに含まれる第１及び第２の監視カードにおいて、通信に関する設定の要求を受ける処理と、
前記シェルフに含まれる前記切替カードにおいて、前記第１及び第２の監視カードの状態に応じて、前記第１及び第２の監視カードからの信号のうちいずれか一方を出力する処理と
をコンピュータに実行させることを特徴とするプログラム。
【請求項１９】
前記切替カードにおいて、前記第１及び第２の監視カードからの信号のうちいずれか一方を選択的に出力する処理を含むことを特徴とする請求項１８に記載のプログラム。
【請求項２０】
前記第１及び第２の監視カードにおいて、
光信号を出力する処理と、
前記監視カードの状態を通知する通知信号を他の監視カードに対して出力する処理と、
光カプラである前記切替カードにおいて、
前記出力された第１及び第２の監視カードの状態に応じて、前記第１及び第２の監視カードのうちいずれか一方が前記光信号を出力する処理と
を含むことを特徴とする請求項１８に記載のプログラム。
【請求項２１】
前記監視カードにおいて、
電気信号を出力する処理と、
前記監視カードの状態を通知する通知信号を他の監視カードに対して出力する処理と、
電気信号を結線する電気回路を含む前記切替カードにおいて、
前記第１及び第２の監視カードの状態に応じて、前記第１及び第２の監視カードからの前記電気信号のうちいずれか一方を出力する処理と
を含むことを特徴とする請求項１８に記載のプログラム。
【発明の詳細な説明】
【技術分野】
【０００１】
本発明は、通信装置、監視システム、監視方法及びプログラムに関する。特に、冗長構成をとる通信装置、監視システム、監視方法及びプログラムに関する。
【背景技術】
【０００２】
ネットワークを構築する装置において、シェルフと呼ばれる筐体に、カードと呼ばれる実装基板を装着する技術が知られている。
【０００３】
特許文献１は、ネットワークを構成する装置が、基本シェルフと複数の拡張シェルフを備える技術について開示する。特許文献１に記載の装置は、当該装置に接続する端末数の増加に応じて拡張シェルフを増加し、増加した拡張シェルフに拡張用のカードを装着することにより、当該端末数の増加に対応する。
【０００４】
また、特許文献２は、シェルフ構造を有する監視装置に関する技術を開示する。特許文献２に記載の監視装置は、装置背面のシェルフに設けられたバックボードに監視カードを実装し、当該監視カードと接続する被監視装置を監視する。そして、特許文献２には、当該監視装置の装置背面のシェルフに複数の監視カードを実装することにより、被監視装置の監視を現用系と冗長系の２重構成にすることが記載されている。
【先行技術文献】
【特許文献】
【０００５】
【特許文献１】特開平２−２２４４３０号公報
【特許文献２】国際公開第２００８／１０７９３５号
【発明の概要】
【発明が解決しようとする課題】
【０００６】
特許文献１の装置において、シェルフに対して特許文献２のように複数の監視カードを装着すると、隣り合うシェルフの各々は、自シェルフに装着された監視カードを、対向するシェルフに装着された監視カードの全てと接続させる必要がある。この理由は、自シェルフに装着された監視カードが、対向シェルフに装着された監視カードから当該相手装置内における障害の状況等を把握する必要がある。そのため、自シェルフの監視カードは、対向シェルフに装着された運用系と予備系の双方と接続することにより、対向シェルフにおいて運用系と予備系とが入れ替わった後も引き続き当該障害の状況等を把握できるようにするためである。
【０００７】
しかしながら、特許文献１において、隣り合うシェルフの各々が、互いに、自シェルフの監視カードを対向するシェルフの監視カードの全てと接続させると、監視カード間の接続数が増加してしまうという課題がある。特に、特許文献２のように、１つのシェルフに実装する監視カードの数を増加させると、当該課題は顕著となる。
【０００８】
本発明の目的は、上記課題を解決し、隣り合うシェルフの各々に複数の監視カードが装着された場合であっても、監視カード間の接続数の増加を抑制できる通信装置、監視システム、監視方法及びプログラムを提供することである。
【課題を解決するための手段】
【０００９】
本発明の通信装置は、第１及び第２の監視カードと、前記第１及び第２の監視カードの状態に応じて、前記第１及び第２の監視カードからの信号のうちいずれか一方を出力する切替カードと、を含むシェルフを備えることを特徴とする。
【００１０】
本発明の監視システムは、通信に関する設定を要求する監視制御装置と、前記監視制御装置からの要求を受ける第１及び第２の監視カードと、前記第１及び第２の監視カードの状態に応じて、前記第１及び第２の監視カードからの信号のうちのいずれか一方を出力する切替カードと、を含むシェルフを備える通信装置と、を含むことを特徴とする。
【００１１】
本発明の監視方法は、通信装置に備わるシェルフに含まれる第１及び第２の監視カードにおいて、通信に関する設定の要求を受け、前記シェルフに含まれる前記切替カードにおいて、前記第１及び第２の監視カードの状態に応じて、前記第１及び第２の監視カードからの信号のうちのいずれか一方を出力することを特徴とする。
【００１２】
本発明のプログラムは、通信装置に備わるシェルフに含まれる第１及び第２の監視カードにおいて、通信に関する設定の要求を受ける処理と、前記シェルフに含まれる前記切替カードにおいて、前記第１及び第２の監視カードの状態に応じて、前記第１及び第２の監視カードからの信号のうちのいずれか一方を出力する処理とをコンピュータに実行させることを特徴とする。
【発明の効果】
【００１３】
本発明は、隣り合うシェルフの各々に複数の監視カードが装着された場合であっても、当該監視カード間の接続数の増加を抑制できるという効果がある。
【図面の簡単な説明】
【００１４】
【図１】本発明の一実施形態における監視システムに含まれるシェルフの構成例を示す図である。
【図２】切替カードがない場合の監視システムの構成例を示す図である。
【図３】切替カードがある場合の監視システムの構成例を示す図である。
【図４】本発明の第１の実施形態における監視システムに含まれるシェルフの構成例を示す図である。
【図５】本発明の第１の実施形態における監視カードの構成例を示す図である。
【図６】本発明の第１の実施形態における切替カードの構成例を示す図である。
【図７】本発明の第１の実施形態における監視システムに含まれるシェルフの他の構成例を示す図である。
【図８】本発明の第１の実施形態における切替カードの動作例を示すフローチャートである。
【図９】本発明の第２の実施形態における監視システムに含まれるシェルフの構成例を示す図である。
【図１０】本発明の第２の実施形態における監視カードの構成例を示す図である。
【図１１】本発明の第２の実施形態における監視カードの他の構成例を示す図である。
【図１２】本発明の第３の実施形態における監視システムに含まれるシェルフの構成例を示す図である。
【図１３】本発明の第４の実施形態における監視システムに含まれる通信装置の構成例を示す図である。
【図１４】本発明の第４の実施形態における切替カードの他の構成例を示す図である。
【図１５】本発明の第５の実施形態における監視システムの構成例を示す図である。
【図１６】本発明の第６の実施形態における監視システムの構成例を示す図である。
【図１７】本発明の第６の実施形態における切替カードの構成例を示す図である。
【図１８】本発明の第７の実施形態における監視システムに含まれるシェルフの構成例を示す図である。
【発明を実施するための形態】
【００１５】
はじめに、図１を用いて、本発明の一実施形態の概要について説明する。なお、この概要に付記した図面参照符号は、理解を助けるための一例として各要素に便宜上付記したものであり、この概要の記載はなんらの限定を意図するものではない。
【００１６】
図１は、本発明の一実施形態における監視システムに含まれる通信装置内のシェルフの構成例を示す図である。図１に示すように、本発明の一実施形態における通信装置内のシェルフは、第１の監視カード１−１と、第２の監視カード１−２と、切替カード２とを含む。
【００１７】
本発明の一実施形態の監視システムは、通信装置内のシェルフに、第１及び第２の監視カード１を切り替える切替カード２を有するので、隣り合うシェルフの各々に複数の監視カードが装着された場合であっても、当該監視カード間の接続数の増加を抑制できる。
【００１８】
図２は、切替カード２を有さない場合における、監視システムに含まれる通信装置内のシェルフの構成例を示す図である。自シェルフの監視カード１のそれぞれは、対向シェルフに装着された監視カード１のそれぞれと接続することにより、対向シェルフにおいて現用系と予備系とが入れ替わった後も引き続き当該障害の状況等を把握できるように構成する必要がある。そのため、監視システムにおいて、切替カード２を有さない場合、自シェルフの監視カードを対向するシェルフの監視カード１の全てと接続させると、図２に示すように、当該監視カード１間の接続数（通信バス５の数）が増加してしまう。
【００１９】
一方、図３は、切替カード２を設けた場合における、監視システムに含まれる通信装置内のシェルフの構成例を示す図である。監視システムは、現用系と予備系との接続を切り替える切替カード２があるため、自シェルフと対向するシェルフとの間は１つの接続でよく、監視カード１間の接続数（通信バス５の数）を減少させることができる。
【００２０】
本発明の一実施形態において、第１の監視カード１−１、第２の監視カード１−２及び切替カード２のそれぞれは、実装基板であり、例えば、シェルフと呼ばれる筐体に装着して利用する。
【００２１】
本発明の一実施形態の監視システムにおいて、第１及び第２の監視カード１は冗長構成となっており、一方が現用系、他方が予備系である。当該監視システムにおいて、予備系の監視カード１は、現用系の監視カード１に故障が生じた場合に、当該現用系の監視カード１が実行していた処理を引き継ぐ。
【００２２】
第１及び第２の監視カード１は、例えば、通信回線を収容するラインカード等に対して、設定情報を通知する手段として機能する。設定情報は、例えば、ルーティング情報やセッション情報、ネットワーク構成に関する情報、ポートに関する情報などである。また、第１及び第２の監視カード１は、例えば、当該ラインカード等に生じた障害を検知する手段として機能する。
【００２３】
切替カード２は、第１の監視カード１−１及び第２の監視カード１−２からの信号を選択的に出力する手段として機能する。切替カード２は、例えば、第１の監視カード１−１及び第２の監視カード１−２からの信号を、ラインカードや他の監視カード１に対して、選択的に出力する。
【００２４】
切替カード２は、例えば、第１の監視カード及び第２の監視カードの運用状況に基づいて、いずれの監視カードからの信号を選択的に出力するかを決定する。また、切替カード２は、第１の監視カード及び第２の監視カードからの信号の出力状況に基づいて、いずれの監視カードからの信号を選択的に出力するかを決定する。
【００２５】
上記のとおり、当該監視システムは、複数の監視カード１からの信号を選択的に出力する切替カード２を有するので、隣り合うシェルフの各々に複数の監視カード１が装着された場合であっても、監視カード１間の接続数の増加を抑制することができる。
【００２６】
以下、具体的な実施の形態について、図面を参照して説明する。
【００２７】
＜第１の実施形態＞
図４は、本発明の第１の実施形態における監視システムの構成例を示す図である。なお、本発明の第１の実施形態において、本発明の一実施形態と同様の構成については、説明を省略する。
【００２８】
図４に示すように、本発明の第１の実施形態の監視システムは、第１の監視カード１−１と、第２の監視カード１−２と、切替カード２と、ラインカード３−１及び３−２（特に区別する必要が無い場合、「ラインカード３」と記載する）と、切替手段３０と、監視制御装置６とを含む。なお、以下では、第１の監視カード１−１と第２の監視カード１−２とを特に区別する必要が無い場合は、監視カード１と記載する。
【００２９】
本発明の第１の実施形態の監視システムは、監視制御装置６からのラインカード３に対する設定要求を、切替カード２を介して、監視カード１及びラインカード３に対して通知する。切替カード２は、監視制御装置６から受け取った当該設定要求を、監視カード１に通知する。
【００３０】
なお、監視制御装置６は、監視カード１に対して、直接、当該設定要求を通知してもよい。この場合、監視制御装置６は、第１の監視カード１−１と、第２の監視カード１−２のどちらか一方、又は、両方に、当該設定要求を通知する。
【００３１】
本発明の第１の実施形態の監視システムは、例えば、第１の監視カード１−１を現用系、第２の監視カード１−２を予備系とすることにより、監視カード１を冗長構成とする。本発明の第１の実施形態において、第１及び第２の監視カード１のそれぞれは、監視経路４を用いて互いに運用状態を監視し、一方の監視カード１に障害が発生した場合、当該一方の監視カード１が実行していた処理を、他方の監視カード１に切り替えて実行する。
【００３２】
本発明の第１の実施形態において、監視カード１は、自カードの状態を、他の監視カード１に通知する通知信号を出力する。第１の監視カード１−１は、第２の監視カード１−２に対して、自カードの状態を通知する通知信号を出力する。また、第２の監視カード１−２も、第１の監視カード１−１に対して、自カードの状態を通知する通知信号を出力する。
【００３３】
また、図４に示すように、第１の監視カード１−１は、信号用の通信バス８−１を介して、切替カード２の切替部２１に信号を入力する。また、第２の監視カードは、信号用の通信バス８−２を介して、切替カード２の切替部２１に信号を入力する。
【００３４】
また、図４に示すように、第１の監視カード１−１は、制御用の通信バス９−１を介して、当該第１の監視カード１−１の状態を、切替カード２の切替判定部２０に通知する。また、第２の監視カード１−２は、制御用の通信バス９−２を介して、当該第２の監視カード１−２の状態を、切替カード２の切替判定部２０に通知する。
【００３５】
また、図４に示すように、第１の監視カード１−１は、シェルフ内通信バス７−１を介して、切替手段３０と接続する。また、第２の監視カード１−２は、シェルフ内通信バス７−２を介して、切替手段３０と接続する。また、切替手段３０は、シェルフ内通信バス７−３を介して、ラインカード３−１と接続する。ラインカード３−１は、シェルフ内通信バス７−４を介して、他のラインカード３−２と接続する。  なお、シェルフ内通信バス７、信号用の通信バス８及び制御用の通信バス９は、例えば、シェルフ内バックプレーンで接続される１０／１００ＢＡＳＥ−Ｔ配線である。
【００３６】
図５は、本発明の第１の実施形態における監視カード１の構成例を示す図である。
【００３７】
図５に示すように、監視カード１は、第１の入出力部１０と、第２の入出力部１１と、障害監視部１２と、制御部１３と、第３の入出力部１４とを備える。
【００３８】
なお、図５に示す構成は、監視制御装置６が、監視カード１と接続されており、当該監視カード１に対して、ラインカード３に対する設定要求を通知する場合の例である。監視制御装置６が、切替カード２に接続されており、当該切替カード２に対して設定要求を通知する場合には、監視カード１は、切替カード２から当該設定要求の通知を受ける。
【００３９】
第１の入出力部１０は、監視制御装置６からのラインカード３に対する設定要求の通知を、通知経路６１を介して受ける手段として機能する。ラインカード３に対する設定要求は、例えば、通信に用いるポートの設定（指定）など、通信に関する設定である。
【００４０】
また、第１の入出力部１０は、ラインカード３で発生した障害を、監視制御装置６へ通知する手段として機能する。
【００４１】
なお、シェルフに装着するカードは、ラインカード３だけに限られず、例えば、電源盤としての機能を有するカードや、冷却ファンとしての機能を有するカードであってもよい。監視制御装置６は、シェルフにこれらのカードが装着されている場合には、これらのカードに対しても、設定要求を通知する。
【００４２】
第２の入出力部１１は、ラインカード３に対して、シェルフ内通信バス７（７−１又は７−２）を介して、ユーザーの監視制御装置６からの設定要求を通知する手段として機能する。また、第２の入出力部１１は、ラインカード３から、シェルフ内通信バス７（７−１又は７−２）を介して、当該ラインカード３で発生した障害の通知を受ける手段として機能する。
【００４３】
本発明の第１の実施形態において、第２の入出力部１１は、対向するシェルフの監視カード１に対して、シェルフ外通信バス５を介して、監視制御装置６からの設定要求を通知する手段として機能する。
【００４４】
なお、第２の入出力部１１とラインカード３とを接続するシェルフ内通信バス７（７−１又は７−２）は、例えば、シェルフ内バックプレーンで接続される１０／１００ＢＡＳＥ−Ｔ配線である。また、第２の入出力部１１と対向するシェルフの監視カード１とを接続するシェルフ外通信バス５は、例えば、シェルフ間を接続する１０／１００ＢＡＳＥ−Ｔケーブルである。
【００４５】
障害監視部１２は、ラインカード３において発生した障害を検知する手段として機能する。障害監視部１２は、障害を検知したことに応じて、当該障害を制御部１３に通知する。
【００４６】
制御部１３は、自カードの状態を、他の監視カード１に通知する手段として機能する。制御部１３は、例えば、自カードが現用系である場合、自カード内で発生した障害を検知して、第３の入出力部１４及び監視経路４を介して、当該障害の発生を冗長構成における予備系の監視カード１に通知する。また、制御部１３は、自カード内で発生した障害を検知したことに応じて、予備系の監視カード１に対して、自カードで実行していた処理の切り替えを要求してもよい。
【００４７】
制御部１３は、自装置が予備系である場合に、対向するシェルフの監視カード１から障害の発生を通知されたことに応じて、ラインカード３の監視及び制御を開始する。また、制御部１３は、自装置が予備系である場合に、現用系の監視カード１から、ラインカード３の監視及び制御を要求されたことに応じて、ラインカード３の監視及び制御を開始してもよい。
【００４８】
第３の入出力部１４は、制御部１３が検知した自カード内で発生した障害（又は、自カードの状態）を、他の監視カード１に通知する通知信号を出力する。第１の監視カード１−１は、第２の監視カード１−２に対して、自カードの状態を通知する通知信号を出力する。また、第２の監視カード１−２も、第１の監視カード１−１に対して、自カードの状態を通知する通知信号を出力する。
【００４９】
図６は、本発明の第１の実施形態における切替カード２の構成例を示す図である。図６に示すように、切替カード２は、切替判定部２０と、切替部２１とを備える。
【００５０】
なお、図６に示す構成は、監視制御装置６が、切替カード２と接続されており、当該切替カード２に対して、ラインカード３に対する設定要求を通知する場合の例である。
【００５１】
切替判定部２０は、第１及び第２の監視カード１のそれぞれと、通信バス９を介して、接続する。切替判定部２０は、制御用の通信バス９−１又は９−２を介して、第１及び第２の監視カード１のそれぞれから、自カードが現用系なのか、予備系なのかについて通知を受ける。なお、切替判定部２０は、現用系の監視カード１から、現用系である旨の通知だけを受けてもよい。
【００５２】
切替判定部２０は、第１及び第２の監視カード１から通知された情報に基づいて、切替部３１に対して、第１及び第２の監視カード１からの信号を選択的に出力することを要求する。切替判定部２０は、例えば、第１の監視カード１−１から現用系であるとの通知を受けたことに基づいて、切替部２１に対して、第１の監視カード１−１からの信号を出力することを要求する。
【００５３】
切替判定部２０は、現用系の監視カード１に障害が発生した場合に、当該現用系の監視カード１から当該障害の発生の通知を受ける。この場合、切替判定部２０は、切替部２１に対して、信号を出力する監視カード１の切り替えを要求する。切替判定部２０は、例えば、現用系である第１の監視カード１−１から障害の発生の通知を受けた場合に、切替部２１に対して、第２の監視カード１−２の信号を出力するように切り替えることを要求する。なお、切替判定部２０は、予備系であった第２の監視カード１−２から運用系である（運用系に切り替わった）との通知を受けたことに基づいて、切替部２１に対して、第１の監視カード１−２からの信号を出力するように切り替えることを要求してもよい。
【００５４】
切替部２１は、切替判定部２０からの要求に応じて、第１及び第２の監視カード１からの信号を選択的に出力する。切替部２１は、例えば、信号用の通信バス８−１又は８−２を介して、第１及び第２の監視カード１から、信号を受信する。切替部２１は、例えば、切替判定部２０から第１の監視カード１−１からの信号を選択することを要求されたことに応じて、当該第１の監視カード１−１からの信号を出力する。
【００５５】
また、切替部２１は、監視制御装置６から、ラインカード３に対する設定要求を受け取り、第１の監視カード１−１又は第２の監視カード１−２に通知する。
【００５６】
切替手段３０は、ラインカード３−１に対して、第１及び第２の監視カード１からの信号を選択的に出力する。切替手段３０は、上記の切替カード２と同様の機能を有し、第１及び第２の監視カード１からの信号を選択的に出力する手段として機能する。
【００５７】
また、切替手段３０は、ラインカード３−１に含まれていてもよい。図７は、切替手段３０がラインカード３−１に含まれている場合の例である。図７に示すように、第１の監視カード１−１は、シェルフ内通信バス７−１を介して、ラインカード３−１と接続する。また、第２の監視カード１−２は、シェルフ内通信バス７−２を介して、ラインカード３−１と接続する。
【００５８】
ラインカード３−１に含まれる切替手段３０は、第１及び第２の監視カード１からの信号を選択的に受信する。ラインカード３−１は、当該信号を、シェルフ内通信バス７−４を介して、他のラインカード３−２に出力する。
【００５９】
図８は、本発明の第１の実施形態における、切替カード２の動作例を示すフローチャートである。なお、切替カード２の切替判定部２０は、例えば、制御用の通信バス９−１又は９−２を介して、第１の監視カード１−１及び第２の監視カード１−２から、現用系なのか、予備系なのかを示す通知を受ける（Ｓ１０１）。
【００６０】
切替判定部２０は、現用系との通知を受けた監視カード１からの信号を出力するように、切替部２１に対して要求する（Ｓ１０２）。
【００６１】
切替部２１は、切替判定部２０からの要求に基づいて、第１及び第２の監視カード１からの信号を選択的に出力する（Ｓ１０３）。
【００６２】
上記のとおり、本発明の第１の実施形態における監視システムは、複数の監視カード１からの信号を選択的に出力する切替カード２を有するので、隣り合うシェルフの各々に複数の監視カードが装着された場合でも、監視カード間の接続数の増加を抑制できる。
【００６３】
また、本発明の第１の実施形態における監視システムは、隣り合うシェルフ間の接続数を抑制できるため、当該接続が簡略化でき、当該接続の接続ミスを減らすこともできる。
【００６４】
さらに、本発明の第１の実施形態における監視システムは、接続数の減少によって通信バスのための接続ポートを削減でき、シェルフの高密度化が実現できるという効果もある。
【００６５】
＜第２の実施形態＞
本発明の第２の実施形態について、図面を参照して説明する。
【００６６】
本発明の第２の実施形態では、第１及び第２の監視カード１からの信号が光信号であり、切替カード２が光カプラである場合の実施形態である。
【００６７】
本発明の第２の実施形態では、第１及び第２の監視カード１から出力される光信号を合流する光カプラ２００を有し、隣り合うシェルフとの間の接続を１つとすることができる。したがって、本発明の第２の実施形態では、隣り合うシェルフの各々に複数の監視カード１が装着された場合でも、監視カード１間の接続数の増加を抑制できる
なお、本発明の第２の実施形態において、本発明の一実施形態、又は、第１の実施形態と同様の構成については、説明を省略する。
【００６８】
図９は、本発明の第２の実施形態における、監視システムの構成例である。図９に示すように、本発明の第２の実施形態では、切替カード２が光カプラ２００である。
【００６９】
光カプラ２００は、第１及び第２の監視カードからの光信号を合流する手段として機能する。また、光カプラ２００は、対向シェルフからの光信号を分岐する手段として機能する。
【００７０】
図９に示すように、第１の監視カードは、光信号伝送路２０１−１を介して、光カプラ２００に対して、光信号を出力する。また、第２の監視カードは、光信号伝送路２０１−２を介して、光カプラ２００に対して、光信号を出力する。
【００７１】
なお、図９に示す例は、ラインカード３−１が光カプラ２００’を含む。当該光カプラ２００’は、ラインカード３−１に対して、第１及び第２の監視カード１からの信号を入力する手段として機能する。
【００７２】
また、光カプラ２００’は、ラインカード３−１に含まれている必要はなく、第１及び第２の監視カード１と、ラインカード３−１との間に設けられていてもよい。この場合は、光カプラ２００’は、ラインカード３−１に対して、第１及び第２の監視カード１からの信号のいずれかを出力する。
【００７３】
本発明の第２の実施形態において、第１の監視カード１−１と第２の監視カード１−２とは、監視経路４を用いて互いに運用状態を監視し、監視した運用状態に応じて、一方の監視カード１が現用系となり、他方の監視カード１が予備系となる。例えば、第１の監視カード１−１が現用系となり、第２の監視カード１−２が予備系となる。
【００７４】
図１０は、本発明の第２の実施形態における監視カード１の構成例を示す図である。図１０に示すように、本発明の第２の実施形態において、監視カード１は、第２の入出力部の代わりに、光信号入出力部１５を備える。なお、図１１は、本発明の第２の実施形態における、監視カード１の他の構成例を示す図である。図１１に示すように、本発明の第２の実施形態において、監視カード１は、第２の入出力部に加えて、光信号入出力部１５を備える。
【００７５】
光信号入出力部１５は、監視制御装置６から通知される他シェルフ宛の設定要求の通知を、光信号として、対向するシェルフの光カプラ２００（図示しない）に通知する。
【００７６】
また、光信号入出力部１５は、監視制御装置６から通知される自シェルフ宛の設定要求の通知を、光信号として、ラインカード３に通知する。なお、監視制御装置６から通知される自シェルフ宛の設定要求は、図１１に示す第２の入出力部１１を介して、ラインカード３に通知してもよい。
【００７７】
本発明の第２の実施形態において、監視カード１−１が現用系の場合、現用系の監視カード１は、光伝送路２０１−１を介して、監視制御装置６からの設定要求を光信号により出力する。一方、本発明の第２の実施形態において、予備系の監視カード１は、出力する光信号を停止（すなわち、出力断の状態とする、又は、光出力レベルを十分に低減する）する。
【００７８】
本発明の第２の実施形態において、現用系の監視カード１−１に障害が生じた場合、当該現用系の監視カード１−１は、監視経路４を介して、当該故障に関して、予備系の監視カード１−２に通知する。なお、現用系の監視カード１−１が、故障が生じた場合に予備系の監視カード１−２に通知する情報は、例えば、予備系から現用系への切り替えを要求する通知であってもよい。
【００７９】
現用系の監視カード１−１から通知を受けた予備系の監視カード１−２は、監視制御装置６からの設定要求を通知するために、光信号を出力する。一方、現用系の監視カード１−１は、光信号の出力を停止する（すなわち、出力断の状態とする、又は、光出力レベルを十分に低減する）。
【００８０】
上記のとおり、現用系の監視カード１−１に障害が生じた場合、現用系の監視カード１−１からの光信号の出力を停止し、予備系の監視カードからの出力を開始するだけで、現用系と予備系との切り替えを実行することができる。そのため、本発明の第２の実施形態では、本発明の第１の実施形態のように切替カード２の切替部２１の切替処理が不要となる。
【００８１】
また、本発明の第２の実施形態では、光カプラ２００は、他シェルフ（図示しない）からの障害の通知（光信号）を分岐し、監視カード１に通知する手段としても機能する。
【００８２】
本発明の第２の実施形態における監視システムは、複数の監視カード１からの光信号を合流する光カプラ２００を切替カードとして有するので、隣り合うシェルフの各々に複数の監視カードが装着された場合でも、監視カード間の接続数の増加を抑制できる。
【００８３】
＜第３の実施形態＞
本発明の第３の実施形態について、図面を参照して説明する。
【００８４】
本発明の第３の実施形態では、第１及び第２の監視カード１からの信号が電気信号であり、切替カード２において、当該第１及び第２の監視カード１からの電気信号をワイヤードＯＲする場合の実施形態である。ワイヤードＯＲは、複数の出力信号を結線して構成するＯＲ論理（論理和）のことである。
【００８５】
なお、本発明の第３の実施形態において、本発明の一実施形態、第１の実施形態、又は第２の実施形態と同様の構成については、説明を省略する。
【００８６】
図１２は、本発明の第３の実施形態における、監視システムの構成例である。図１２に示すように、本発明の第３の実施形態では、切替カード３００が、第１及び第２の監視カード１から出力される電気信号を結線する電気回路を含む。また、切替カード２に含まれる当該電気回路は、対向シェルフ又はラインカード３からの電気信号を分岐する手段として機能する。
【００８７】
本発明の第３の実施形態において、第１の監視カード１−１と第２の監視カード１−２とは、監視経路４を用いて互いに運用状態を監視し、監視した運用状態に応じて、一方の監視カード１が現用系となり、他方の監視カード１が予備系となる。例えば、第１の監視カード１−１が現用系となり、第２の監視カード１−２が予備系となる。
【００８８】
本発明の第３の実施形態において、現用系の監視カード１は、他シェルフの切替カード３００に対して、監視制御装置６からの設定要求を電気信号により出力する。一方、本発明の第２の実施形態において、予備系の監視カード１は、出力する電気信号を停止（すなわち、電気的にＯｐｅｎとする、又は、ハイインピーダンス状態とする）する。
【００８９】
なお、本発明の第３の実施形態において、第１の監視カード１−１は、通信経路３０１−１を介して、切替カード３００に電気信号を出力する。また、第２の監視カード１−２は、通信経路３０１−２を介して、切替カード３００に電気信号を出力する。
【００９０】
また、本発明の第３の実施形態では、切替カード（電気回路）３００は、他シェルフからの障害の通知（電気信号）を分岐し、監視カード１に通知する。
【００９１】
監視カード１へ信号が入力する場合も、監視カード１から信号が出力される場合と同様に、予備系の監視カード１との間の電気回路は電気的にＯｐｅｎ、又は、ハイインピーダンス状態であり、切替カード３００が通知する電気信号は、予備系の監視カード１には通知されない。
【００９２】
本発明の第３の実施形態では、現用系の監視カード１の電気信号だけが出力されるので、切替カード３００の電気回路には現用系の監視カード１からの電気信号だけが電流として流れ、他シェルフの切替カード２に対して出力される。
【００９３】
本発明の第３の実施形態において、現用系の監視カード１−１に障害が生じた場合、当該現用系の監視カード１−１は、監視経路４を介して、当該故障に関して、予備系の監視カード１−２に通知する。なお、現用系の監視カード１−１が、故障が生じた場合に予備系の監視カード１−２に通知する情報は、例えば、予備系から現用系への切り替えを要求する通知であってもよい。
【００９４】
現用系の監視カード１−１から通知を受けた予備系の監視カード１−２は、現用系となり、監視制御装置６からの設定要求を通知するために、通信経路３００−２を介して、切替カード３００に対し当該設定要求を電気信号により出力する。一方、現用系の監視カード１−１は、予備系となり、出力する電気信号を停止する（すなわち、電気的にＯｐｅｎとする、又は、ハイインピーダンス状態とする）。
【００９５】
また、図１２に示す例は、ラインカード３−１が切替手段（電気回路）３００’を含む。当該切替手段（電気回路）３００’は、ラインカード３−１に対して、第１及び第２の監視カード１からの信号を入力する手段として機能する。
【００９６】
また、切替手段（電気回路）３００’は、ラインカード３−１に含まれている必要はなく、第１及び第２の監視カード１と、ラインカード３−１との間に設けられていてもよい。この場合は、切替手段（電気回路）３００’は、ラインカード３−１に対して、第１及び第２の監視カード１からの信号のいずれかを出力する。
【００９７】
上記のとおり、現用系の監視カード１−１に障害が生じた場合、現用系の監視カード１−１からの電気信号を停止し、予備系の監視カードからの電気信号の出力を開始するだけで、現用系と予備系との切り替えを実行することができる。そのため、本発明の第３の実施形態では、本発明の第１の実施形態のように切替カード２の切替部２１の切替処理が不要となる。
【００９８】
本発明の第３の実施形態における監視システムの切替カード３００は、複数の監視カード１からの電気信号を出力する電気回路を有するので、隣り合うシェルフの各々に複数の監視カードが装着された場合でも、監視カード間の接続数の増加を抑制できる。
【００９９】
＜第４の実施形態＞
本発明の第４の実施形態について、図面を参照して説明する。
【０１００】
第４の実施形態の監視システムにおいて、１つの通信装置が、第１及び第２の監視カード１と、切替カード２と、ラインカード３とを含むシェルフを複数含む場合の実施形態である。
【０１０１】
なお、本発明の第４の実施形態において、本発明の一実施形態、第１乃至第３の実施形態のそれぞれと同様の構成については、説明を省略する。
【０１０２】
本発明の第４の実施形態において、監視カード１及び切替カード２のそれぞれは、実装基板であり、例えば、シェルフに装着して利用する。１つのシェルフは、例えば、１０〜２０のカードを収納可能である。なお、シェルフは、例えば、１つの通信装置の中に、数十〜数百以上実装可能である。
【０１０３】
シェルフには、例えば、通信装置の中でマスタとなり監視制御装置６と接続する基本シェルフと、ラインカードを収容する複数の拡張シェルフとがある。
【０１０４】
図１３は、本発明の第４の実施形態における監視システムに含まれる通信装置１００の構成例を示す図である。図１３に示すように、本発明の第４の実施形態の通信装置１００は、基本シェルフ１０１と、拡張シェルフ１１０とを含む。
【０１０５】
基本シェルフ１０１は、第１及び第２の基本監視カード１０２を含む。第１及び第２の基本監視カード１０２のいずれかは、監視制御装置６と接続し、当該監視制御装置６から設定要求を通知する手段として機能する。
【０１０６】
図１３に示すように、本発明の第４の実施形態において、基本シェルフ１０１は、第１の基本監視カード１０２−１と、第２の基本監視カード１０２−２と、切替カード２と、ラインカード３とを含む。なお、以下では、第１の基本監視カード１０２−１と第２の基本監視カード１０２−２とを特に区別する必要が無い場合は、基本監視カード１と記載する。
【０１０７】
本発明の第４の実施形態の監視システムは、例えば、第１の基本監視カード１０２−１を現用系、第２の基本監視カード１０２−２を予備系とすることにより、基本監視カード１０２を冗長構成とする。本発明の第４の実施形態において、第１及び第２の基本監視カード１０２は、監視経路４を用いて互いに運用状態を監視している。そして、一方の基本監視カード１０２に障害が発生した場合、当該一方の基本監視カード１０２が実行していた処理は、他方の基本監視カード１０２に切り替えて実行される。
【０１０８】
基本シェルフ１０１に含まれる切替カード２は、第１又は第２の基本監視カード１０２からの信号を出力する手段として機能する。切替カード２は、例えば、第１又は第２の基本監視カード１０２からの信号のいずれかを、拡張シェルフ１１０に対して出力する。
【０１０９】
切替カード２は、例えば、第１及び第２の基本監視カード１０２の運用状況に基づいて、いずれの監視カードからの信号を出力するかを決定する。また、切替カード２は、第１及び第２の基本監視カード１０２からの信号の出力状況に基づいて、いずれの監視カードからの信号を出力するかを決定する。
【０１１０】
監視制御装置６は、当該基本監視カード１０２を介して、通信装置１００に含まれるラインカード３に対する設定を要求する。監視制御装置６は、例えば、ラインカード３に対して、通信に関する設定を要求する装置である。監視制御装置６は、例えば、ラインカード３に対して、信号の送受信に用いるポートの変更や、信号の送受信に用いる波長の変更の要求を行う。また、監視制御装置６は、例えば、ラインカード３に障害が生じた場合に、当該障害の通知を受ける装置である。
【０１１１】
また、シェルフに装着するカードは、ラインカード３だけに限られず、例えば、電源盤としての機能を有するカード等であってもよく、シェルフにこれらのカードが装着されている場合には、これらのカードに対して、設定要求を通知してもよい。
【０１１２】
シェルフに装着されるカードは、例えば、当該カードを一意に識別可能な識別子が割り当てられており、監視制御装置６は、当該識別子を用いてカードを指定することにより、特定のカードに対して当該設定要求を通知する。
【０１１３】
また、ラインカード３には、ラインカード３を一意に識別可能な通信用の識別子が割り当てられていてもよく、監視制御装置６は、ラインカード３に対して設定要求を通知する場合は、通信用の識別子を用いてラインカードを指定してもよい。なお、通信用の識別子は、例えば、ラインカード３のＭＡＣアドレス（Ｍｅｄｉａ  Ａｃｃｅｓｓ  Ｃｏｎｔｒｏｌ  ａｄｄｒｅｓｓ）やＩＰアドレス（Ｉｎｔｅｒｎｅｔ  Ｐｒｏｔｏｃｏｌ  ａｄｄｒｅｓｓ）である。
【０１１４】
監視制御装置６がラインカード３に通知する設定要求は、例えば、通信に用いるポートの設定（指定）など、ラインカード３で実現する通信に関する設定である。
【０１１５】
本発明の第４の実施形態におけるラインカード３が備える機能は、例えば、光信号を伝送する装置としての機能であり、ＷＤＭ（Ｗａｖｅｌｅｎｇｔｈ  Ｄｉｖｉｓｉｏｎ  Ｍｕｌｔｉｐｌｅｘ）方式により光信号を伝送する機能である。また、ラインカード３は、例えば、データを送信又は受信する装置であり、パケットを送信又は受信するスイッチやルータとしての機能を備えていてもよい。
【０１１６】
監視制御装置６は、例えば、当該ユーザーがアスキー言語などを用いて入力した通信に関する設定を解析し、基本監視カード１０２が処理可能なデータに変換して、当該基本監視カード１０２に通知してもよい。
【０１１７】
また、監視制御装置６は、例えば、基本監視カード１０２を介して、通信装置１００内のカードにおいて生じた障害に関する情報の通知を受ける。監視制御装置は、例えば、通信装置１００内のカードにおいて障害が発生したことに応じて、当該障害に関する情報の通知を受ける。
【０１１８】
また、監視制御装置６は、例えば、基本監視カード１０２を介して、通信装置１００内のラインカード３における通信の品質に関する情報の通知を受ける。監視制御装置６は、例えば、所定の周期で、通信の品質に関する情報の通知を受ける。
【０１１９】
監視制御装置６からカードに対する設定要求を受けた基本監視カード１０２は、当該設定要求に含まれるカードの識別子を用いて、当該カードに対して当該設定要求を通知する。基本監視カード１０２は、基本シェルフ１０１内のカードに対して、当該基本シェルフ１０１内のシェルフ内通信バス７を介して当該設定要求を直接通知する。また、基本監視カード１０２は、拡張シェルフ１１０内のカードに対して、シェルフ外通信バス５及び拡張シェルフ１１０内の拡張監視カード１１１を介して当該設定要求を通知する。
【０１２０】
また、基本監視カード１０２は、基本シェルフ１０１内のカード、又は、拡張シェルフ１１０内のカードから、当該カードに関する障害の通知を受ける。基本監視カード１０２は、通知された障害に関する情報を、監視制御装置６に通知する。
【０１２１】
図１３に示すように、本発明の第４の実施形態において、拡張シェルフ１１０−１は、第１の拡張監視カード１１１−１と、第２の拡張監視カード１１１−２と、切替カード２’と、ラインカード３−１’及び３−２’とを含む。また、拡張シェルフ１１０−２は、第１の拡張監視カード１１１−１’と、第２の拡張監視カード１１１−２’と、切替カード２’’と、ラインカード３−１’’及び３−２’’とを含む。本発明の第４の実施形態の監視システムは、例えば、第１の拡張監視カード１１１−１及び１１１−１’を現用系、第２の拡張監視カード１１１−２及び１１１−２’を予備系とすることにより、拡張監視カード１１１を冗長構成とする。
【０１２２】
拡張シェルフ１１０−１に含まれる切替カード２’は、拡張監視カード１１１−１又は第２の拡張監視カード１１１−２からの信号を選択的に出力する手段として機能する。切替カード２’は、例えば、第１の拡張監視カード１１１−１又は第２の拡張監視カード１１１−２からの信号を、基本シェルフ１０１及び／又は他の拡張シェルフ１１０−２に対して出力する。
【０１２３】
図１４は、本発明の第４の実施形態における、切替カード２’の構成例を示す図である。図１４に示すように、本発明の第４の実施形態において、切替カード２’は、基本シェルフ１０１との間で信号を入出力する切替部２１−１と、他の拡張シェルフ１１０−２との間で信号を入出力する切替部２１−２とを有していてもよい。
【０１２４】
切替カード２’は、例えば、第１の拡張監視カード１１１−１及び第２の拡張監視カード１１１−２の運用状況に基づいて、いずれの拡張監視カード１１１−１又は１１１−２からの信号を出力するかを決定する。また、切替カード２は、第１の拡張監視カード１１１−１及び第２の拡張監視カード１１１からの信号の出力状況に基づいて、いずれの拡張監視カード１１１−１又は１１１−２からの信号を出力するかを決定する。
【０１２５】
なお、拡張シェルフ１１０−２に含まれる切替カード２’’も、切替カード２’と同様である。
【０１２６】
拡張シェルフ１１０−１内の拡張監視カード１１１−１又は１１１−２は、自シェルフ内のカードに対する設定要求の通知を受けたことに応じて、当該設定要求を当該カードに通知する。また、拡張監視カード１１１−１又は１１１−２は、他の拡張シェルフ１１０−２内のカードに対する設定要求の通知を受けたことに応じて、当該設定要求を、隣接する拡張シェルフ１１０−２に転送する。
【０１２７】
拡張監視カード１１１−１又は１１１−２は、例えば、通知された設定要求に含まれる識別子が、自シェルフ内のカードの識別子であるか否かに基づいて、当該設定要求を自シェルフ内のカードに通知するか、他の拡張シェルフ１１０−２に転送するかを決定してもよい。
【０１２８】
また、拡張監視カード１１１−１又は１１１−２は、自シェルフ内のカードから障害の発生の通知を受けた場合には、当該障害の発生の通知を、切替カード２、２’及び２’’を介して、基本シェルフ１０１内の基本監視カード１０２−１又は１０２−２に転送する。
【０１２９】
また、拡張監視カード１１１−１又は１１１−２は、所定の周期で、自シェルフ内のラインカード３−１’又は３−２’から通信に関する情報の通知を受け、当該通知を、基本シェルフ１０１内の基本監視カード１０２−１又は１０２−２に転送する。
【０１３０】
なお、拡張シェルフ１１０−２に含まれる切拡張監視カード１１１−１’又は１１１−２’も、拡張監視カード１１１−１又は１１１−２と同様である。
【０１３１】
本発明の第４の実施形態において、ラインカード３は、例えば、監視制御装置６から信号の送受信に用いるポートの変更の要求を受け、当該要求に基づいて、当該信号を送受信するポートを変更する。ラインカード３は、例えば、監視制御装置６から信号の送受信に用いる波長の変更の要求を受け、当該要求に基づいて、当該信号の送受信に用いる波長を変更する。なお、ラインカード３が監視制御装置６から受ける通信に関する設定は、これらの例に限られず、どのような設定であってもよい。
【０１３２】
本発明の第４の実施形態において、通信装置１００が光信号を伝送する装置である場合、ラインカード３は、例えば、光増幅装置としての機能、光分岐多重装置としての機能、及び、トランスポンダとしての機能を実現する実装基板である。なお、シェルフには、同じ機能を有する複数のカードを装着することができ、例えば、トランスポンダの機能を実現するカードを複数装着することもできる。
【０１３３】
光増幅装置としての機能を実現するラインカード３は、光信号を増幅する手段として機能する。また、光分岐多重装置としての機能を実現するラインカード３は、波長多重された光信号を分波又は合波する手段として機能する。また、トランスポンダとしての機能を実現するラインカード３は、電気信号を多重・分離する手段として機能する。
【０１３４】
本発明の第４の実施形態において、監視制御装置６は、例えば、ＣＨ１において波長λ１の信号を伝送し、ＣＨ３において波長λ２の信号を伝送するという設定を要求する。監視制御装置６が要求した設定は、基本監視カード１０２を介して、光分岐多重装置の機能を実現するラインカード３と、トランスポンダの機能を実現するラインカード３とに通知される。ユーザーの監視制御装置６から設定の要求を受けたラインカード３は、当該設定要求に応じて、ＣＨ１において波長λ１の信号を伝送し、ＣＨ３において波長λ２の信号を伝送する。
【０１３５】
本発明の第４の実施形態において、通信装置１００がパケットを転送する装置である場合、ラインカード３は、例えば、パケットを転送するスイッチやルータとしての機能を実現する実装基板であってもよい。スイッチとしての機能を実現するラインカード３は、例えば、パケットの転送に関する規則を記憶する記憶部を有し、受信したパケットに含まれるアドレスに応じた規則に基づいて、当該受信したパケットを転送する。
【０１３６】
本発明の第４の実施形態において、監視制御装置６は、例えば、スイッチの機能を実現する複数のラインカード３に対して、パケットの転送に関する設定を要求する。監視制御装置６は、例えば、アドレスＡ１宛のパケットの通信経路に関する設定を要求する。監視制御装置６が要求した当該設定は、基本監視カード１０２を介して、スイッチの機能を実現する複数のラインカード３のそれぞれに通知される。スイッチの機能を実現する複数のラインカード３のそれぞれは、監視制御装置６から要求された設定に基づいて、アドレスＡ１宛のパケットを、指定された通信経路に基づいて転送するための設定を行う。
【０１３７】
本発明の第４の実施形態において、通信装置１００に含まれる各シェルフが、第１又は第２の監視カードからの信号のいずれかを出力する切替カード２を有するので、隣り合うシェルフの各々に装着される複数の監視カード間の接続数の増加を抑制することができる。
【０１３８】
また、本発明の第４の実施形態における通信装置１００は、図１２に示すように複数のシェルフを含むが、当該複数のシェルフのそれぞれが切替カード２を有するので、シェルフ間の接続数を抑制することができ、当該通信装置１００の高密度化を図ることができる。
【０１３９】
＜第５の実施形態＞
本発明の第５の実施形態について、図面を参照して説明する。
【０１４０】
本発明の第５の実施形態における監視システムは、図１５に示すように、複数の通信装置１００を含む。なお、本発明の第５の実施形態において、本発明の一実施形態、第１乃至第４の実施形態のそれぞれと同様の構成については、説明を省略する。
【０１４１】
本発明の第５の実施形態において、監視制御装置６と接続していない通信装置１００が、当該監視制御装置６と接続している通信装置１００から設定要求を受け取ることにより、当該通信装置１００内のラインカード等の設定を変更する。したがって、通信装置１００が、例えば、海底に設置されているなど、監視制御装置６と接続できない場合であっても、当該監視制御装置６から設定要求を受け取ることができ、ラインカード３の設定を変更することが可能となる。
【０１４２】
この場合において、本発明の第５の実施形態の監視システムの通信装置１００は切替カード２を有するので、複数の通信装置１００間の接続が少なくとも１つの通信経路で実現でき、当該複数の通信装置１００間の接続数の増加を低減することが可能となる。
【０１４３】
複数の通信装置１００のそれぞれは、図１５に示すように、監視カード１と、切替カード２と、ラインカード３が装着されたシェルフを含む。図１５に示す例では、複数の通信装置１００のそれぞれが備えるシェルフは１つであるが、シェルフの数は１つに限られず、いくつであってもよい。
【０１４４】
複数の通信装置１００−１、１００−２及び１００―３−１、１００−２及び１００−３（以下、区別の必要が無い場合「通信装置１００」と記載する）のそれぞれは、伝送路４００により接続されており、通信機能を実現するラインカード３により、互いに信号を送受信する。
【０１４５】
本発明の第５の実施形態において、複数の通信装置１００のそれぞれは、図１５に示すように、監視カード１及び切替カード２を備え、当該複数の通信装置１００のそれぞれの監視カード１は、互いに通信経路５００により接続される。
【０１４６】
本発明の第５の実施形態において、通信装置１００−１及び通信装置１００−２は、監視制御装置６−１及び監視制御装置６−２とそれぞれ接続しており、当該監視制御装置６からラインカード３に対する設定要求の通知を受ける。一方、通信装置１００−３は、図１１に示すように、監視制御装置６と接続しておらず、通信装置１００−２内のラインカード３−２に対する設定要求を、通信装置１００−１又は１００−２から通信経路３００を介して受け取る。
【０１４７】
監視制御装置６−１は、例えば、通信装置１００−２内のラインカード３−２に対する設定要求を通知する場合、当該設定要求に当該ラインカード３−２の識別子を含めて、通信装置１００−１の切替カード２−１に通知する。切替カード２−１は、当該設定要求を受けた場合、当該設定要求に含まれる識別子から当該設定要求が通信装置１００−２宛であると判定する。
【０１４８】
なお、監視制御装置６−１は、当該設定要求を、直接、通信装置１００−１の監視カード１−１に通知してもよい。この場合、監視カード１−１は、当該設定要求に含まれる識別子から、当該設定要求が通信装置１００−２宛であると判定する。
【０１４９】
通信装置１００−１の切替カード２（又は、監視カード１−１）は、通信経路５００を介して、通信装置１００−３の監視カード１−３に対して、通信装置１００−３内のラインカード３−３に対する設定要求を通知する。
【０１５０】
通信装置１００−３の監視カード１−３は、受け取った設定要求を、ラインカード３−３に対して通知する。ラインカード３−３は、受け取った設定要求に応じて、例えば通信の設定を変更する。
【０１５１】
なお、通信装置１００−３は、監視制御装置６−２から通信装置１００−２を介して通知される設定要求を受信してもよい。
【０１５２】
また、通信装置１００−３の監視カード１−３は、通信装置１００−３内のラインカード３−３の障害の発生に応じて、当該障害の発生を、通信装置１００−１に接続する監視制御装置６−１及び／又は通信装置１００−２に接続する監視制御装置６−２に通知する。
【０１５３】
本発明の第５の実施形態において、複数の通信装置１００に含まれるシェルフのそれぞれは、切替カード２を備える。そして、一の通信装置１００は、当該切替カード２を介して、他の通信装置１００と接続する。例えば、通信装置１００−１は、他の通信装置１００−２及び１００−３と、基本シェルフ内の切替カード２−１を介して接続する。また、通信装置１００−３は、通信装置１００−１及び１００−２と切替カード２−３を介して接続する。
【０１５４】
このように、複数の通信装置１００のそれぞれは、互いに切替カード２−１、２−２又は２−３を介して接続するので、当該複数の通信装置１００間は、少なくとも１つの通信経路８で接続することができる。
【０１５５】
上記のとおり、通信装置１００が、例えば、海底に設置されているなど、監視制御装置６と接続できない場合であっても、当該監視制御装置６から他の通信装置１００を介して設定要求を受け取ることができ、ラインカード３の設定を変更することが可能となる。
【０１５６】
この場合において、本発明の第５の実施形態の監視システムの通信装置１００は切替カード２を有するので、複数の通信装置１００間の接続が少なくとも１つの通信経路で実現でき、当該複数の通信装置１００間の接続数の増加を低減することが可能となる。
【０１５７】
＜第６の実施形態＞
本発明の第６の実施形態について、図面を参照して説明する。
【０１５８】
図１６に示すように、本発明の第６の実施形態の監視システムは、複数の通信装置１００−１、１００−２及び１００−３（以下、区別の必要が無い場合「通信装置１００」と記載する）を含み、当該複数の通信装置１００は、互いにネットワーク６００を介して接続する。なお、本発明の第６の実施形態において、本発明の一実施形態、第１乃至第５の実施形態のそれぞれと同様の構成については、説明を省略する。
【０１５９】
本発明の第６の実施形態は、監視制御装置６と、複数の通信装置１００とが、それぞれネットワーク６００に接続しており、それぞれの装置が当該ネットワーク６００を介して互いに情報の送受信を行う実施形態である。ネットワーク６００を介して情報の送受信を行うので、それぞれの装置は直接接続する必要がなく、監視制御装置６は、例えば離れた場所から通信装置１００に対する制御を実行することが可能となる。また、監視制御装置６は、ネットワーク６００を介して、複数の通信装置１００に発生した障害の通知を受けることができるので、例えば離れた場所で当該障害を把握することができる。
【０１６０】
なお、本発明の第６の実施形態において、本発明の一実施形態、第１乃至第５の実施形態のそれぞれと同様の構成については、説明を省略する。
【０１６１】
監視制御装置６は、ネットワーク６００を介して、複数の通信装置１００に対して、当該複数の通信装置１００内のラインカード３等に対する設定要求を通知する。また、監視制御装置６は、ネットワーク６００を介して、複数の通信装置１００のそれぞれで発生した障害の通知を受ける。
【０１６２】
本発明の第６の実施形態において、通信装置１００内の基本シェルフ１０１における監視カード１０２は冗長構成となっており、一方が現用系、他方が予備系である。
【０１６３】
本発明の第６の実施形態において、監視制御装置６は、ネットワーク６００を介して、通信装置１００−１、１００−２及び１００−３のそれぞれの基本シェルフ１０１に備わる切替カード２に対して、設定要求を通知する。
【０１６４】
切替カード２は、冗長構成である基本監視カード１０２のうちの、現用系の基本監視カード１０２に対して、設定要求を転送する。
【０１６５】
なお、当該設定要求は、通信装置１００−１、１００−２及び１００−３のそれぞれの基本シェルフ１０１に備わる監視カード１０２に対して通知してもよい。
【０１６６】
本発明の第６の実施形態において、通信装置１００内の基本シェルフ１０１における監視カード１０２は、他シェルフ宛の設定要求を、切替カード２を介して他シェルフの切替カード２’へ出力する。
【０１６７】
本発明の第６の実施形態において、通信装置１００内の拡張シェルフ１１０における監視カード１１１は冗長構成となっており、一方が現用系、他方が予備系である。通信装置１００内の拡張シェルフ１１０における監視カード１１１は、基本シェルフ１０１の監視カード１０２から、切替カード２及び２’を介して設定要求を受け取る。
【０１６８】
図１７は、本発明の第６の実施形態における、通信装置１００内の基本シェルフ１０１の切替カード２の構成例を示す図である。図１７に示すように、本発明の第４の実施形態において、基本シェルフ１０１内の切替カード２に含まれる切替部２１は、ネットワーク６００及び／又は拡張シェルフ１１０に対して、監視カード１０２からの信号を入出力する。
【０１６９】
また、図１８は、本発明の第６の実施形態における、通信装置１００内の基本シェルフ１０１の切替カード２の他の構成例を示す図である。図１８に示すように、本発明の第６の実施形態において、切替カード２は、ネットワーク６００から設定要求を受ける切替部２１−１と、拡張シェルフ１１０との間で信号を入出力する切替部２１−２とを有していてもよい。
【０１７０】
上述した通り、ネットワーク６００を介して情報の送受信を行うので、それぞれの装置は直接接続する必要がなく、監視制御装置６は、例えば離れた場所からラインカード３又は３’に対する制御を実行することや、監視制御装置１の切り替えを実行することが可能になる。また、監視制御装置６は、ネットワーク６００を介して、通信装置１００内で発生した障害の通知を受けることができるので、例えば離れた場所で当該障害の把握することができる。
【０１７１】
この場合において、本発明の第６の実施形態では、通信装置１００内に備わる複数のシェルフが切替カード２（２’）を有し、ネットワーク６００を介して通知された設定要求を、当該切替カード２（２’）を介して隣接するシェルフに通知する。したがって、本発明の第６の実施形態では、通信装置１００において、隣り合うシェルフの各々に装着される複数の監視カード間の接続数の増加を抑制することができる。
【０１７２】
＜第７の実施形態＞
本発明の第７の実施形態について、図面を参照して説明する。
【０１７３】
本発明の第７の実施形態における通信装置１００は、図１９に示すように、Ｎ（Ｎは２以上の自然数）枚の監視カード１−１乃至１−Ｎと、切替カード２と、を装着するシェルフを備える。なお、本発明の第７の実施形態において、本発明の一実施形態、第１乃至第６の実施形態のそれぞれと同様の構成については、説明を省略する。
【０１７４】
本発明の第７の実施形態において、切替カード２は、Ｎ枚の監視カードからの信号を、Ｎ枚の監視カード１のそれぞれの状態に応じて、Ｎ２未満の数の出力線から出力する。切替カード２が無ければ、例えば図２に示すように、Ｎ枚の監視カードからの信号はＮ２の数の出力線から出力されるところ、切替カード２によってＮ２未満の数の出力線から出力されるようになるので、隣接するシェルフ間の接続数の増加を抑制できる。
【０１７５】
本発明の第７の実施形態において、監視カード１−１乃至１−Ｎの少なくとも１つは、例えば、通信回線を収容するラインカード等に対して、設定情報を通知する手段として機能する。また、監視カード１−１乃至１−Ｎの少なくとも１つは、例えば、当該ラインカード等に生じた障害を、監視制御装置等に通知する手段として機能する。
【０１７６】
切替カード２は、監視カード１−１乃至１−Ｎの少なくとも１つからの信号を、当該監視カード１−１乃至１−Ｎの状態に応じて、出力する手段として機能する。切替カード２は、例えば、監視カード１−１乃至１−Ｎからの信号を、ラインカードや他の監視カード１に対して出力する。
【０１７７】
本発明の第７の実施系において、切替カード２は、監視カード１−１乃至１−Ｎの少なくとも１つからの信号を、Ｎ枚の監視カード１のそれぞれの状態に応じて、Ｎ２未満の数の出力線から出力する。例えば、切替カード２は、監視カード１−１乃至１−Ｎの少なくとも１つからの信号を、監視カード１−１乃至１−Ｎのそれぞれの運用状況に基づいて、Ｎ枚の監視カード１のそれぞれの状態に応じて、Ｎ２未満の数の出力線から出力する。また、切替カード２は、監視カード１−１乃至１−Ｎの少なくとも１つからの信号を、監視カード１−１乃至１−Ｎの信号の出力状況に基づいて、Ｎ枚の監視カード１のそれぞれの状態に応じて、Ｎ２未満の数の出力線から出力してもよい。
【０１７８】
上記のとおり、当該監視システムは、Ｎ枚の監視カードからの信号をＮ２未満の数の出力線から出力する切替カード２を有するので、隣り合うシェルフの各々に複数の監視カード１が装着された場合であっても、監視カード１間の接続数の増加を抑制することができる。
【０１７９】
＜第８の実施形態＞
本発明の第８の実施形態について説明する。第８の実施形態において、通信装置１００のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態の機能を実現するソフトウェア（プログラム）を実行する。
【０１８０】
本発明の第８の実施形態において、通信装置１００は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。通信装置１００が取得するプログラム、又は、該プログラムを記憶した記憶媒体は、本発明を構成することになる。なお、該ソフトウェア（プログラム）は、例えば、通信装置１００に含まれる所定の記憶部に、予め記憶されていてもよい。
【０１８１】
通信装置１００のコンピュータ、ＣＰＵ又はＭＰＵ等は、取得したソフトウェア（プログラム）のプログラムコードを読み出して実行する。したがって、当該通信装置１００は、上述した各実施形態における通信装置１００の処理と同一の処理を実行する。
【０１８２】
本発明の第７の実施形態によれば、通信装置１００のコンピュータ、ＣＰＵ又はＭＰＵ等に実現するためのプログラムといった用途に適用できる。
【０１８３】
上記の実施形態の一部又は全部は、以下の付記のようにも記載されうるが、以下には限られない。
【０１８４】
［付記１］
第１及び第２の監視カードと、
前記第１及び第２の監視カードの状態に応じて、前記第１及び第２の監視カードからの信号のうちいずれか一方を出力する切替カードと、を含むシェルフを備える
ことを特徴とする通信装置。
【０１８５】
［付記２］
前記シェルフを複数備え、
第１のシェルフに含まれる前記切替カードは、前記第１のシェルフに含まれる前記第１及び第２の監視カードからの信号のうちいずれか一方を、第２のシェルフに含まれる切替カードに対して出力する
ことを特徴落とする付記１に記載の通信装置。
【０１８６】
［付記３］
前記切替カードは、前記第１及び第２の監視カードからの信号のうちいずれか一方を選択的に出力することを特徴とする付記１又は２に記載の通信装置。
【０１８７】
［付記４］
前記監視カードは、前記監視カードの状態を通知する通知信号を出力する出力部を有し、
前記切替カードは、
前記第１及び第２の監視カードのそれぞれから出力された通知信号に応じて、前記第１及び第２の監視カードからの信号のうちいずれか一方を選択的に出力することを要求する切替判定部と、
前記切替判定部からの要求に応じて、前記第１及び第２の監視カードからの信号を選択的に出力する切替部と、を備える
ことを特徴とする付記１乃至３のいずれかに記載の通信装置。
【０１８８】
［付記５］
前記監視カードは、
光信号を出力する光出力部と、
当該監視カードの状態を通知する通知信号を他の監視カードに対して出力する出力部と、を有し、
前記切替カードは、前記第１及び第２の監視カードからの光信号を合波する光カプラであり、
前記第１及び第２の監視カードの状態に応じて、前記第１の監視カードの光出力部及び第２の監視カードの光出力部のうちいずれか一方が前記光信号を出力することを特徴とする付記１又は２に記載の通信装置。
【０１８９】
［付記６］
前記監視カードは、前記監視カードの状態を通知する通知信号を他の監視カードに対して出力する出力部をさらに有し、
前記切替カードは、前記第１及び第２の監視カードからの電気信号を結線する電気回路を含み、前記第１及び第２の監視カードの状態に応じて、前記第１及び第２の監視カードからの前記電気信号のうちいずれか一方を出力することを特徴とする付記１又は２に記載の通信装置。
【０１９０】
［付記７］
前記シェルフは、通信回線を収容するラインカードをさらに備え、
前記第１及び第２の監視カードは、前記ラインカードに対する制御を実行するための情報を、前記ラインカードに対して通知することを特徴とする付記１乃至６のいずれかに記載の通信装置。
【０１９１】
［付記８］
前記第１及び第２の監視カードからの信号は、前記ラインカードを一意に識別する識別子を含み、
前記第１及び第２の監視カードは、前記識別子に基づいて、前記信号を前記識別子に対応するラインカードまで転送すること
を特徴とする付記７に記載の通信装置。
【０１９２】
［付記９］
前記切替カードは、他の切替カードを介して通知される障害に関する情報又は通信の品質に関する情報を含む信号を、前記第１及び第２の監視カードの状態に応じて、前記第１及び第２の監視カードの少なくとも１つに出力することを特徴とする付記１乃至８のいずれかに記載の通信装置。
【０１９３】
［付記１０］
通信に関する設定を要求する監視制御装置と、
前記監視制御装置からの要求を受ける第１及び第２の監視カードと、前記第１及び第２の監視カードの状態に応じて、前記第１及び第２の監視カードからの信号のうちいずれか一方を出力する切替カードと、を含むシェルフを備える通信装置と、を含む
ことを特徴とする監視システム。
【０１９４】
［付記１１］
前記通信装置は、前記シェルフを複数備え、
第１のシェルフに含まれる前記切替カードは、前記第１のシェルフに含まれる前記第１及び第２の監視カードからの信号のうちいずれか一方を、第２のシェルフに含まれる切替カードに対して出力する
ことを特徴とする付記１０に記載の監視システム。
【０１９５】
［付記１２］
前記複数のシェルフは、前記監視制御装置からの要求を受ける前記第１及び第２の監視カードを備える基本シェルフを含み、
前記基本シェルフに含まれる前記切替カードは、前記要求を受けた前記第１及び第２の監視カードからの信号のうちいずれか一方を出力する
ことを特徴とする付記１１に記載の監視システム。
【０１９６】
［付記１３］
前記切替カードは、前記第１及び第２の監視カードからの信号のうちいずれか一方を選択的に出力することを特徴とする付記１０乃至１２のいずれかに記載の監視システム。
【０１９７】
［付記１４］
前記切替カードは、前記監視カードの状態を通知する通知信号を出力する出力部を有し、
前記切替カードは、
前記第１及び第２の監視カードのそれぞれから出力された通知信号に応じて、前記第１及び第２の監視カードからの信号のうちいずれか一方を選択的に出力することを要求する切替判定部と、
前記切替判定部からの要求に応じて、前記第１及び第２の監視カードからの信号を選択的に出力する切替部と、を備える
ことを特徴とする付記１０乃至１３のいずれかに記載の監視システム。
【０１９８】
［付記１５］
前記監視カードは、
光信号を出力する光出力部と、
当該監視カードの状態を通知する通知信号を他の監視カードに対して出力する出力部と、を有し、
前記切替カードは、前記第１及び第２の監視カードからの光信号を合波する光カプラであり、
前記第１及び第２の監視カードの状態に応じて、前記第１の監視カードの光出力部及び第２の監視カードの光出力部のうちいずれか一方が前記光信号を出力すること
を特徴とする付記１０乃至１２のいずれかに記載の監視システム。
【０１９９】
［付記１６］
前記監視カードは、前記監視カードの状態を通知する通知信号を他の監視カードに対して出力する出力部を有し、
前記切替カードは、前記第１及び第２の監視カードからの電気信号を結線する電気回路を含み、前記第１及び第２の監視カードの状態に応じて、前記第１及び第２の監視カードからの前記電気信号のうちいずれか一方を出力する
ことを特徴とする付記１０乃至１２のいずれかに記載の監視システム。
【０２００】
［付記１７］
前記シェルフは、通信回線を収容するラインカードをさらに備え、
前記第１及び第２の監視カードは、前記ラインカードに対する制御を実行するための情報を、前記ラインカードに対して通知する
ことを特徴とする付記１０乃至１６のいずれかに記載の監視システム。
【０２０１】
［付記１８］
前記第１及び第２の監視カードからの信号は、前記ラインカードを一意に識別する識別子を含み、
前記第１及び第２の監視カードは、前記識別子に基づいて、前記信号を前記識別子に対応するラインカードまで転送すること
を特徴とする付記１７に記載の監視システム。
【０２０２】
［付記１９］
前記切替カードは、他の切替カードを介して通知される障害に関する情報又は通信の品質に関する情報を含む信号を、前記第１及び第２の監視カードの状態に応じて、前記第１及び第２の監視カードのいずれか一方に出力することを特徴とする付記１０乃至１８のいずれかに記載の監視システム。
【０２０３】
［付記２０］
前記通信装置を複数備え、
第１の通信装置に含まれる切替カードは、前記第１の通信装置に含まれる前記第１及び第２の監視カードからの信号のうちいずれか一方を、第２の通信装置に含まれる切替カードに対して出力する
ことを特徴とする付記１０乃至１９のいずれかに記載の監視システム。
【０２０４】
［付記２１］
前記監視制御装置は、ネットワークを介して、前記通信装置に含まれる切替カードに対して前記設定を要求することを特徴とする付記１０乃至２０のいずれかに記載の監視システム。
【０２０５】
［付記２２］
通信装置に備わるシェルフに含まれる第１及び第２の監視カードにおいて、通信に関する設定の要求を受け、
前記シェルフに含まれる前記切替カードにおいて、前記第１及び第２の監視カードの状態に応じて、前記第１及び第２の監視カードからの信号のうちいずれか一方を出力する
ことを特徴とする監視方法。
【０２０６】
［付記２３］
前記通信装置は、前記シェルフを複数備え、
第１のシェルフに含まれる前記切替カードにおいて、前記第１のシェルフに含まれる前記第１及び第２の監視カードからの信号のうちいずれか一方を、第２のシェルフに含まれる切替カードに対して出力する
ことを特徴とする付記２２に記載の監視方法。
【０２０７】
［付記２４］
前記複数のシェルフは、前記監視制御装置からの要求を受ける前記第１及び第２の監視カードを備える基本シェルフを含み、
前記基本シェルフに含まれる前記切替カードにおいて、前記要求を受けた前記第１及び第２の監視カードからの信号のうちいずれか一方を出力する
ことを特徴とする付記２３に記載の監視方法。
【０２０８】
［付記２５］
前記切替カードにおいて、前記第１及び第２の監視カードからの信号のうちいずれか一方を選択的に出力することを特徴とする付記２１乃至２４のいずれかに記載の監視方法。
【０２０９】
［付記２６］
前記監視カードにおいて、当該監視カードの状態を通知する通知信号を出力し、
前記切替カードにおいて、
前記第１及び第２の監視カードのそれぞれから通知された前記監視カードの状態に応じて、前記第１及び第２の監視カードからの信号のうちいずれか一方を出力することを要求し、
前記要求に応じて、前記第１及び第２の監視カードからの信号のうちいずれか一方を出力する
ことを特徴とする付記２２乃至２５のいずれかに記載の監視方法。
【０２１０】
［付記２７］
前記第１及び第２の監視カードにおいて、
光信号を出力し、
前記監視カードの状態を通知する通知信号を他の監視カードに対して出力し、
光カプラである前記切替カードにおいて、
前記出力された第１及び第２の監視カードの状態に応じて、前記第１及び第２の監視カードのうちいずれか一方が前記光信号を出力する
ことを特徴とする付記２２乃至２４のいずれかに記載の監視方法。
【０２１１】
［付記２８］
前記監視カードにおいて、
電気信号を出力し、
前記監視カードの状態を通知する通知信号を他の監視カードに対して出力し、
電気信号を結線する電気回路を含む前記切替カードにおいて、
前記第１及び第２の監視カードの状態に応じて、前記第１及び第２の監視カードからの前記電気信号のうちいずれか一方を出力する
ことを特徴とする付記２２乃至２４のいずれかに記載の監視方法。
【０２１２】
［付記２９］
前記シェルフは、通信回線を収容するラインカードをさらに備え、
前記第１及び第２の監視カードにおいて、前記ラインカードに対する制御を実行するための情報を、前記ラインカードに対して通知する
ことを特徴とする付記２２乃至２８のいずれかに記載の監視方法。
【０２１３】
［付記３０］
前記第１及び第２の監視カードからの信号は、前記ラインカードを一意に識別する識別子を含み、
前記第１及び第２の監視カードにおいて、前記識別子に基づいて、前記信号を前記識別子に対応するラインカードまで転送する
ことを特徴とする付記２９に記載の監視方法。
【０２１４】
［付記３１］
前記切替カードにおいて、他の切替カードを介して通知される障害に関する情報又は通信の品質に関する情報を含む信号を、前記第１及び第２の監視カードの状態に応じて、前記第１及び第２の監視カードの少なくとも１つに出力することを特徴とする付記２２乃至３０のいずれかに記載の監視方法。
【０２１５】
［付記３２］
前記通信装置を複数備え、
第１の通信装置に含まれる第１及び第２の切替カードにおいて、前記設定の要求を受けた前記第１及び第２の監視カードからの信号のうちいずれか一方を、第２の通信装置に対して出力する
ことを特徴とする付記２２乃至３１のいずれかに記載の監視方法。
【０２１６】
［付記３３］
ネットワークを介して、前記通信装置に対して前記設定を要求することを特徴とする付記２２乃至３２のいずれかに記載の監視方法。
【０２１７】
［付記３４］
通信装置に備わるシェルフに含まれる第１及び第２の監視カードにおいて、通信に関する設定の要求を受ける処理と、
前記シェルフに含まれる前記切替カードにおいて、前記第１及び第２の監視カードの状態に応じて、前記第１及び第２の監視カードからの信号のうちいずれか一方を出力する処理と
をコンピュータに実行させることを特徴とするプログラム。
【０２１８】
［付記３５］
前記通信装置は、前記シェルフを複数備え、
第１のシェルフに含まれる前記切替カードにおいて、前記第１のシェルフに含まれる前記第１及び第２の監視カードからの信号のうちいずれか一方を、第２のシェルフに含まれる切替カードに対して出力する処理
を含むことを特徴とする付記３４に記載のプログラム。
【０２１９】
［付記３６］
前記複数のシェルフは、前記監視制御装置からの要求を受ける前記第１及び第２の監視カードを備える基本シェルフを含み、
前記基本シェルフ含まれる前記切替カードにおいて、前記要求を受けた前記第１及び第２の監視カードからの信号のうちいずれか一方を出力する処理
を含むことを特徴とする付記３５に記載のプログラム。
【０２２０】
［付記３７］
前記切替カードにおいて、前記第１及び第２の監視カードからの信号のうちいずれか一方を選択的に出力する処理を含むことを特徴とする付記３４乃至３６のいずれかに記載のプログラム。
【０２２１】
［付記３８］
前記監視カードにおいて、当該監視カードの状態を通知する通知信号を出力し、
前記切替カードにおいて、前記第１及び第２の監視カードのそれぞれから通知された前記監視カードの状態に応じて、前記第１及び第２の監視カードからの信号のうちいずれか一方を出力することを要求する処理と、
前記要求に応じて、前記第１及び第２の監視カードからの信号のうちいずれか一方を出力する処理と
を含むことを特徴とする付記３４乃至３７のいずれかに記載のプログラム。
【０２２２】
［付記３８］
前記第１及び第２の監視カードにおいて、
光信号を出力する処理と、
前記監視カードの状態を通知する通知信号を他の監視カードに対して出力する処理と、
光カプラである前記切替カードにおいて、
前記出力された第１及び第２の監視カードの状態に応じて、前記第１及び第２の監視カードのうちいずれか一方が前記光信号を出力する処理と
を含むことを特徴とする付記３４乃至３６のいずれかに記載のプログラム。
【０２２３】
［付記３９］
前記監視カードにおいて、
電気信号を出力する処理と、
前記監視カードの状態を通知する通知信号を他の監視カードに対して出力する処理と、
電気信号を結線する電気回路を含む前記切替カードにおいて、
前記第１及び第２の監視カードの状態に応じて、前記第１及び第２の監視カードからの前記電気信号のうちいずれか一方を出力する処理と
を含むことを特徴とする付記３４乃至３６のいずれかに記載のプログラム。
【０２２４】
［付記４０］
前記シェルフは、通信回線を収容するラインカードをさらに備え、
前記第１及び第２の監視カードにおいて、前記ラインカードに対する制御を実行するための情報を、前記ラインカードに対して通知する処理を含む
ことを特徴とする付記３４乃至３９のいずれかに記載のプログラム。
【０２２５】
［付記４１］
前記第１及び第２の監視カードからの信号は、前記ラインカードを一意に識別する識別子を含み、
前記第１及び第２の監視カードにおいて、前記識別子に基づいて、前記信号を前記識別子に対応するラインカードまで転送する処理を含む
ことを特徴とする付記４０に記載のプログラム。
【０２２６】
［付記４２］
前記切替カードにおいて、他の切替カードを介して通知される障害に関する情報又は通信の品質に関する情報を含む信号を、前記第１及び第２の監視カードの状態に応じて、前記第１及び第２の監視カードの少なくとも１つに出力する処理を含むことを特徴とする付記３４乃至４１のいずれかに記載のプログラム。
【０２２７】
［付記４３］
前記通信装置を複数備え、
第１の通信装置に含まれる第１及び第２の切替カードにおいて、前記設定の要求を受けた前記第１及び第２の監視カードからの信号のうちいずれか一方を、第２の通信装置に対して出力する処理を含む
ことを特徴とする付記３４乃至４２のいずれかに記載のプログラム。
【０２２８】
［付記４４］
ネットワークを介して、前記通信装置に対して前記設定を要求する処理を含むことを特徴とする付記２２乃至３２のいずれかに記載のプログラム。
【０２２９】
［付記４５］
Ｎ（Ｎは２以上の自然数）枚の監視カードと、
前記監視カードからの信号を、Ｎ２未満の数の出力線から出力する切替カードと、を含むシェルフを備える
ことを特徴とする通信装置。
【符号の説明】
【０２３０】
１  監視カード
１−１、１−１’、１−１’’、１−３  第１の監視カード
１−２、１−２’、１−２’’、１−４  第２の監視カード
１−Ｎ  第Ｎの監視カード
２、２’、２’’、２−１、２−２、２−３  切替カード
３、３−１、３−２、３−３、３−１’、３−２’、３−１’’、３−２’’  ラインカード
４  監視経路
５、５’  シェルフ間通信バス
６  監視制御装置
７、７−１、７−２、７−３、７−１’、７−２’、７−３’、７−１’’、７−２’’、７−３’’  シェルフ内通信バス
８、８−１、８−２、８−１’、８−２’、８−１’’、８−２’’  信号用の通信バス
９、９−１、９−２  制御用の通信バス
１０  第１の入出力部
１１  第２の入出力部
１２  障害監視部
１３  制御部
１４  第３の入出力部
１５  光信号入出力部
２０  切替判定部
２１  切替部
３０  制御手段
６１、６１−１、６１−２  通知経路
１００、１００−１、１００−２、１００−３  通信装置
１０１  基本シェルフ
１０２  基本監視カード
１０２−１  第１の基本監視カード
１０２−２  第２の基本監視カード
１１０、１１０−１、１１０−２  拡張シェルフ
１１１  拡張監視カード
１１１−１、１１１−１’  第１の拡張監視カード
１１１−２、１１１−２’  第２の拡張監視カード
２００、２００’  光カプラ
２０１、２０１−１、２０１−２  伝送路
３００、３００’  切替カード（電気回路）
３０１、３０１−１、３０１−２  通信経路
４００  伝送路
５００  通信経路
４００  ネットワーク
【図１】
2015065534.tif 000003
【図２】
2015065534.tif 000004
【図３】
2015065534.tif 000005
【図４】
2015065534.tif 000006
【図５】
2015065534.tif 000007
【図６】
2015065534.tif 000008
【図７】
2015065534.tif 000009
【図８】
2015065534.tif 000010
【図９】
2015065534.tif 000011
【図１０】
2015065534.tif 000012
【図１１】
2015065534.tif 000013
【図１２】
2015065534.tif 000014
【図１３】
2015065534.tif 000015
【図１４】
2015065534.tif 000016
【図１５】
2015065534.tif 000017
【図１６】
2015065534.tif 000018
【図１７】
2015065534.tif 000019
【図１８】
2015065534.tif 000020